(57)【要約】被収容物を過冷却させる冷凍庫に関し、被収容物が載置される複数の棚が設けられた冷却室及び前記冷却室の側面を開閉する扉を有する本体と、前記冷却室の上部に配備されて前記冷却室の空気を冷却する蒸発器と、前記蒸発器を収容する冷却ダクトと、前記冷却ダクトにおける前記蒸発器の前方に配設されて前記冷却室の空気を前記蒸発器に供給する空気循環ファンと、前記冷却ダクトと連結されて前記冷却ダクトにおける蒸発器を経て冷却された空気を前記冷却室の底面に導く冷気供給ダクトと、前記冷気供給ダクトから前記扉が配設される方向に向かって複数突き出てそれぞれ前記棚に載置された被収容物の上部から冷気を供給する複数の延長ダクトと、を備えることを特徴とする。したがって、冷凍庫の扉が設けられた前方部分まで冷気を均一に排出する延長ダクトを設けて冷凍庫の内部温度を均一に保って被収容物を均一に過冷却させるだけではなく、延長ダクトを介して被収容物の上部から冷気を直ちに供給して冷気が供給される時間を短縮させて過冷却効率を向上させる。【選択図】図２
2016533470.tif 000002
【特許請求の範囲】
【請求項１】
被収容物が載置される複数の棚が設けられた冷却室及び前記冷却室の側面を開閉する扉を有する本体と、
前記冷却室の上部に配備されて前記冷却室の空気を冷却する蒸発器と、
前記蒸発器を収容する冷却ダクトと、
前記冷却ダクトにおける前記蒸発器の前方に配設されて前記冷却室の空気を前記蒸発器に供給する空気循環ファンと、
前記冷却ダクトと連結されて前記冷却ダクトにおける蒸発器を経て冷却された空気を前記冷却室の底面に導く冷気供給ダクトと、
前記冷気供給ダクトから前記扉が配設される方向に向かって複数突き出てそれぞれ前記棚に載置された被収容物の上部から冷気を供給する複数の延長ダクトと、を備える
ことを特徴とする冷凍庫。
【請求項２】
前記延長ダクトは、
前記被収容物の上部に配設される底面及び前記扉が配設される方向の前面には冷気が排出される冷気排出孔が形成される
請求項１に記載の冷凍庫。
【請求項３】
前記前面は、
前記冷却室の底面に向かって傾くように形成される
請求項２に記載の冷凍庫。
【請求項４】
前記冷気供給ダクトは、
前記延長ダクトが連通された個所に設けられて前記冷気供給ダクトを通る冷却済み空気を前記延長ダクトに導く冷気案内板を備える
請求項１に記載の冷凍庫。
【請求項５】
前記冷気供給ダクトは、
前記空気循環ファンにより回転されて排出される空気が前記冷却室に均一に分配されるように、前記空気循環ファンが回転する方向とは反対の方向に冷気を導く冷気流れ調整板を備える
請求項１に記載の冷凍庫。
【請求項６】
前記蒸発器に凍結された水蒸気を加熱して除霜を行う除霜器を備える
請求項１に記載の冷凍庫。
【請求項７】
前記除霜器は、
前記蒸発器を加熱するヒーターと、
前記ヒーターにより発生された除霜水を前記本体の外部に排出する排出水ラインと、
前記本体の底面に配設されて前記排出水ラインに排出される除霜水が収容される水槽と、
前記水槽に設けられて前記水槽に収容された除霜水を蒸発させる除霜水蒸発器と、を備える
請求項６に記載の冷凍庫。
【請求項８】
前記水槽は、
蒸発された前記除霜水が水槽の外部に排出される蒸気排出孔を備える
請求項７に記載の冷凍庫。
【請求項９】
前記冷気供給ダクトは、
前記冷気供給ダクトを通る冷気の温度を測定する温度センサーを備える
請求項１に記載の冷凍庫。
【請求項１０】
前記本体は、
前記冷却室の内部に光を照射するランプを備える
請求項１に記載の冷凍庫。
【請求項１１】
前記冷却室の最上段に配設される前記延長ダクトと前記冷却ダクトとの間には、前記冷気供給ダクトに供給される冷気を排出して全体的に前記延長ダクトに排出される冷気の圧力を調節する流速調節空間が設けられる
請求項１に記載の冷凍庫。
【発明の詳細な説明】
【技術分野】
【０００１】
本発明は、被収容物を過冷却させる冷凍庫に関する。
【背景技術】
【０００２】
過冷却とは、溶融体または固体が平衡状態における相転移温度以下まで冷却されても変化を引き起こさない現象のことをいう。物質にはそれぞれそのときの温度に伴う安定状態があるため、温度を徐々に変化させていくと、これに伴い、その物質の構成原子が各温度において安定状態を維持しながら温度の変化に追従する。しかしながら、温度が急激に変化すると、構成原子が各温度に伴う安定状態に変化する余裕がないため、出発点温度における安定状態をそのまま有するか、あるいは、一部が終点温度における状態に変化していく間に止まるという現象が起こる。
過冷却されたままで保存された飲料を冷たいカップに注いだり、過冷却液状態の飲料に衝撃、振動などを加えたりすると、完全に凍ったり溶けたりしなかった状態の飲料、すなわち、スラッシュ状の飲料を消費者に提供することができる。
【０００３】
このような過冷却された飲料を提供するために、従来、特許文献１（２０１２年１１月２２日付け登録）の「冷却庫」が提案されている。
従来の冷却庫は、液体飲料の容器Ｐを収容するための冷却室２と、冷却室２内の空気を冷却させるための熱交感器９と、熱交感器９を内蔵する冷却ダクト５と、冷却ダクト５の一部に設けられる吸入口１０と、冷却ダクト５の吸入口１０とは異なる個所に設けられる冷気噴出口１２と、冷却室２内の空気を循環させるための冷気供給ダクト６と、冷気供給ダクト６の一方の端側に設けられる導入口１５と、冷気供給ダクト６内の空気を冷却室２内に吹く込むための通気孔２０と、冷気供給ダクト６の導入口１５に面するように取り付けられるファン１６と、を備え、冷却ダクト５は、冷却室２内の空気を吸入口１０から吸引して熱交感器９において冷却させた後に、冷気噴出口１２に吹き出すようになっており、冷気供給ダクト６は、冷却室２の側面から冷却室２の上下方向に亘って設けられており、導入口１５が、冷却ダクト５の冷気噴出口１２に面しているとともに、冷却室２内に面しており、ファン１６により、導入口１５から冷気供給ダクト６内への吸気が行われることを特徴とする。
このような構成を有する従来の冷却庫は、冷却室内にある飲料を過冷却させることはできるが、冷気を供給する冷却ダクト５が冷凍庫の背面に配設され、扉の頻繁な開放により冷凍庫の内部温度のばらつきが発生して冷凍庫の背面に配設される飲料は凍るのに対し、冷凍庫の前面に配設される飲料は過冷却できないという問題があり、温度のばらつきにより頻繁に開かれる扉に露が結ばれてエネルギーの損失が増大されるという問題があった。
【先行技術文献】
【特許文献】
【０００４】
【特許文献１】大韓民国登録特許第１０−１２０５８２２号
【発明の概要】
【発明が解決しようとする課題】
【０００５】
本発明は、上述した問題を解消するために案出されたものであり、本発明が解消しようとする課題は、冷却室内の温度を均一にして被収容物を均一に過冷却させ、冷気が被収容物に伝わる時間を短縮させるとともに、冷却室にエアカーテンを形成して過冷却の効率及びエネルギーの効率を高める冷凍庫を提供することである。
【課題を解決するための手段】
【０００６】
上述した課題を達成するための本発明の実施形態による冷凍庫は、被収容物が載置される複数の棚が設けられた冷却室及び前記冷却室の側面を開閉する扉を有する本体と、前記冷却室の上部に配備されて前記冷却室の空気を冷却する蒸発器と、前記蒸発器を収容する冷却ダクトと、前記冷却ダクトにおける前記蒸発器の前方に配設されて前記冷却室の空気を前記蒸発器に供給する空気循環ファンと、前記冷却ダクトと連結されて前記冷却ダクトにおける蒸発器を経て冷却された空気を前記冷却室の底面に導く冷気供給ダクトと、前記冷気供給ダクトから前記扉が配設される方向に向かって複数突き出てそれぞれ前記棚に載置された被収容物の上部から冷気を供給する複数の延長ダクトと、を備える。
【０００７】
前記延長ダクトは、前記被収容物の上部に配設される底面及び前記扉が配設される方向の前面には冷気が排出される冷気排出孔が形成されることが好ましい。
前記前面は、前記冷却室の底面に向かって傾くように形成されることが好ましい。
前記冷気供給ダクトは、前記延長ダクトが連通された個所に設けられて前記冷気供給ダクトを通る冷却済み空気を前記延長ダクトに導く冷気案内板を備えることが好ましい。
前記冷気供給ダクトは、前記空気循環ファンにより回転されて排出される空気が前記冷却室に均一に分配されるように前記空気循環ファンが回転する方向とは反対の方向に冷気を導く冷気流れ調整板を備えることが好ましい。
本発明の実施形態による冷凍庫は、前記蒸発器に凍結された水蒸気を加熱して除霜を行う除霜器を備えることが好ましい。
前記除霜器は、前記蒸発器を加熱するヒーターと、前記ヒーターにより発生された除霜水を前記本体の外部に排出する排出水ラインと、前記本体の底面に配設されて前記排出水ラインに排出される除霜水が収容される水槽と、前記水槽に設けられて前記水槽に収容された除霜水を蒸発させる除霜水蒸発器と、を備えることが好ましい。
前記水槽は、蒸発された前記除霜水が水槽の外部に排出される蒸気排出孔を備えることが好ましい。
前記冷気供給ダクトは、前記冷気供給ダクトを通る冷気の温度を測定する温度センサーを備えることが好ましい。
前記本体は、前記冷却室の内部に光を照射するランプを備えることが好ましい。
前記冷却室の最上段に配設される前記延長ダクトと前記冷却ダクトとの間には、前記冷気供給ダクトに供給される冷気を排出して全体的に前記延長ダクトに排出される冷気の圧力を調節する流速調節空間が設けられることが好ましい。
【発明の効果】
【０００８】
本発明によれば、冷凍庫の扉が設けられた前方部分まで冷気を均一に排出する延長ダクトを設けて冷凍庫の内部温度を均一に保って被収容物を均一に過冷却させるだけではなく、延長ダクトを介して被収容物の上部から冷気が直ちに供給されることにより、冷気が供給される時間を短縮させて過冷却効率を向上させる。
【０００９】
また、延長ダクトの前面は、底面に向かって冷気が排出されるように構成されてエアカーテンを形成して、過冷却効率を向上させるとともに、エネルギーの無駄使いを極力抑える。
さらに、冷凍庫の冷気を均一に分配する冷気流れ調整板及び冷気案内板が設けられて冷凍庫の内部温度を均一にする。
さらにまた、流速調節空間が形成されて被収容物に供給される冷気の圧力及びエアカーテンを形成する圧力を全体的に調節する。
【図面の簡単な説明】
【００１０】
【図１】従来の技術による冷却庫の側面図
【図２】本発明の実施形態による冷凍庫の概略的な側断面図
【図３】本発明の実施形態による冷凍庫を構成する延長ダクトの分解図
【図４】本発明の実施形態による冷凍庫の概略的な側断面図
【図５】本発明の実施形態による冷凍庫の正面図であり、空気の循環状態を示す。
【発明を実施するための形態】
【００１１】
以下、添付図面に基づき、本発明の実施形態による冷却庫について詳細に説明する。
図２から図４に示すように、本発明の実施形態による冷凍庫１００は、本体１１０を備える。
この本体１１０は被収容物２００を保管し、後述する部品を収容する。
【００１２】
一方、本体１１０は四角ボックス状を呈し、本体１１０の内部の周縁には断熱材１１２付き冷却室１１７が設けられ、本体１１０の一方の面には冷却室１１７を開閉する扉１１１が設けられる。
また、本体１１０は、本体１１０の底面に設けられた複数の受け台１１５により底面から離れて配設され、本体１１０の底面には後述する水槽１４５が載置される水槽嵌合部１１６が形成される。
さらに、本体１１０の背面の下部には機械室１１４が設けられるが、機械室１１４には冷気を提供するための圧縮器と、凝縮器及び冷却ファンが収容される。
ここで、圧縮器と、凝縮器及び冷却ファンは、冷気を提供するための公知の構成要素であるためその詳細な説明は省略する。また、冷却室１１７の内部には、被収容物２００が載置される棚１１９が冷却室の上下に互いに離れるように複数設けられる。
【００１３】
さらにまた、本体１１０はランプ１１３を備える。
このランプ１１３は冷却室１１７の暗い内部を照らすように冷却室１１７の内部に光を照射し、ランプ１１３は、断熱材１１２に形成された溝に取り付けられてランプ１１３の熱が冷却室１１７に伝わることを防ぐ。
このとき、ランプ１１３は、発光ダイオード（ＬＥＤ）ランプである。
【００１４】
本発明の実施形態による冷凍庫１００は、蒸発器１２０を備える。
この蒸発器１２０は、機械室１１４に配設された圧縮器と、凝縮器及び冷却ファンの構成要素と一緒に作用して冷却室１１７の内部に冷気を提供する。
ここで、冷気を提供する原理について概略的に説明すると、圧縮器において圧縮された冷媒は凝縮器を通って液状に変化され、液状に変化された冷媒は膨張弁により膨張されて蒸発器を通りながら気化されて周りの熱を奪って冷気を発生させる。また、蒸発器を通った冷媒は圧縮器を通りながら圧縮され、圧縮された冷媒は再び凝縮器を通りながら液状に変化されるように冷媒を循環させて冷気を提供する。このとき、冷却ファンは、凝縮器の効率が高くなるように凝縮器を冷却させる。
一方、冷気を発生させる蒸発器１２０は冷却室１１７の上部に設けられて相対的に高い温度の空気を冷却させて、冷却効率を向上させる。
【００１５】
本発明の実施形態による冷凍庫１００は、冷却ダクト１２５を備える。
この冷却ダクト１２５は、蒸発器１２０を収容する。
一方、冷却ダクト１２５には後述する空気循環ファン１４０が設けられて冷却室１１７の空気が蒸発器１２０を通るように循環させる。このとき、空気循環ファン１４０は、冷却ダクト１２５の前方部分、すなわち、扉が配設される前方から底面に向かって傾くように設けられて扉と棚の先端との間にある空気を吸入して蒸発器１２０に提供する。
【００１６】
本発明の実施形態による冷凍庫１００は、除霜器を備える。
この除霜器は、蒸発器が配設される冷却ダクト１２５の部分に設けられて蒸発器の除霜を行い、除霜器は、ヒーター１３１と、排出水ライン１３３と、水槽１３５及び除霜水蒸発器１３９を備える。
ヒーター１３１は、電気により加熱して蒸発器に凍結された水蒸気を加熱して除霜し、排出水ライン１３３は、ヒーター１３１により発生された除霜水を本体１１０の外部に排出する。水槽１３５は、排出水ライン１３３と連結されて本体１１０の外部に排出される除霜水を収容する。
一方、水槽１３５は本体１１０の底面の部分に配設され、水槽１３５の上部の周縁には除霜水蒸発器１３９により蒸発された除霜水を排出する複数の蒸気排出孔１３７が形成される。
また、水槽１３５の上部の両側面には水槽固定部１３６が形成されて本体１１０の水槽嵌合部１１６に嵌め込まれることにより、水槽１３５が本体１１０に着脱自在に係合される。
除霜水蒸発器１３９は、水槽１３５の内側の下部に設けられて水槽１３５に収容された除霜水を強制的に蒸発させて除去し、蒸発された除霜水は蒸気排出孔１３７に排出される。ここで、除霜水蒸発器１３９は、ヒーターにより実現される。
【００１７】
本発明の実施形態による冷凍庫１００は、冷気供給ダクト１５０を備える。
この冷気供給ダクト１５０は、冷却室１１７の上部に配設された蒸発器１２０を通りながら発生された冷気を冷却室１１７の背面を介して冷却室１１７の底面に導く。
また、冷気供給ダクト１５０には、後述する延長ダクト１６０と連通される連通孔が形成される。
さらに、冷気供給ダクト１５０は、冷気流れ調整板１５５を備える。
【００１８】
この冷気流れ調整板１５５は、空気循環ファン１４０により片側方向に回転されて排出される空気を空気循環ファン１４０が回転する方向とは反対の方向に冷気を導く。
一方、冷気流れ調整板１５５は、延長ダクト１６０が突出する方向とは反対の方向の冷気供給ダクト１５０の面に設けられ、冷気流れ調整板１５５は、冷気供給ダクトに上下に長く複数配置され、冷気流れ調整板１５５の下部は、空気循環ファン１４０が回転する方向とは反対の方向に折り曲げられて空気循環ファン１４０が回転する方向に集まる冷気をその反対方向に分散させて、冷却室１１７の温度を均一にする。
【００１９】
また、冷気供給ダクト１５０は、冷気案内板１５１を備える。
この冷気案内板１５１は、延長ダクト１６０と連通される個所に設けられて延長ダクト１６０に冷気を導く。
一方、冷気案内板１５１は下向きに折り曲げられるように形成されて、まず、冷気を底面に移動させて冷却室の全体を冷却させた後、冷気供給ダクト１５０から再び上昇する冷気を延長ダクト１６０に供給するように構成される。
また、冷気案内板１５１は、冷気供給ダクト１５０において回転可能なように設けられて延長ダクト１６０に供給される冷気の量を調節する。
【００２０】
本発明の実施形態による冷凍庫１００は、空気循環ファン１４０を備える。
この空気循環ファン１４０は、冷却室１１７内の空気を循環させる。
一方、空気循環ファン１４０は、回転する遠心力により冷却室１１７の空気を吸入し、吸入された空気は冷却ダクト１２５に流入して蒸発器１２０と、冷気供給ダクト１５０及び延長ダクト１６０を経て冷却室１１７に排出されるように空気を循環させる（図５参照）。
すなわち、空気循環ファン１４０は、扉が配設される冷却ダクトの前方から底面を向かって傾くように設けられて扉と棚の先端との間に配設される空気を吸入して蒸発器を通して冷気供給ダクト及び延長ダクトを介して排出するように冷気を循環させる。
【００２１】
本発明の実施形態による冷凍庫１００は、延長ダクト１６０を備える。
この延長ダクト１６０は、被収容物２００の上部から冷気を供給する。
一方、延長ダクト１６０は、冷気供給ダクト１５０から扉１１１が配設される方向に複数突設され、延長ダクト１６０の前面は、上面が下面よりも長く形成されて冷却室１１７の底面に向かって傾くように形成される。
また、被収容物２００の上部に配設される延長ダクト１６０の底面、及び扉１１１が配設される方向、すなわち、延長ダクト１６０の前面には、延長ダクト１６０に流入した冷気を冷却室１１７に排出する多数の冷気排出孔１６５が形成される。
このとき、延長ダクト１６０の前面に冷気を排出するため、扉が配設される前方部分にエアカーテンが形成されて扉の開放時に外気の流入及び冷気の流出を極力抑えて過冷却効率を向上させる。
さらに、延長ダクト１６０の底面にも冷気が排出されるため、延長ダクトの下部に配設される被収容物に直ちに冷気を供給して、被収容物の過冷却効率をさらに向上させる。
さらにまた、延長ダクト１６０の上部には棚１１９が載置されて棚１１９を支持する。
【００２２】
また、延長ダクト１６０は、温度センサー１５７を備える。
この温度センサー１５７は、冷却室１１７内の温度を測定して制御する。
一方、温度センサー１５７は、複数の延長ダクト１６０の上側に配設された延長ダクト１６０の下端に設けられてその部分において温度を測定して冷却室１１７の温度を調節して、冷却室１１７内の温度差を最小化させる。
【００２３】
さらに、複数の延長ダクト１６０の最上側に配設された延長ダクト１６０と冷却ダクト１２５との間には、流速調節空間１６７が形成される。
この流速調節空間１６７は、蒸発器を通過した冷気が冷気供給ダクト１５０に排出される前に予め流速調節空間に排出されるようにして、延長ダクト１６０を介して排出される冷気の圧力を調節する。
例えば、流速調節空間１６７が冷気案内板１５１により密閉されると、冷気が冷気供給ダクト１５０及び延長ダクト１６０にのみ供給されて流速が速くなるため、冷気が強い圧力で被収容物及び延長ダクトの前方（エアカーテンの形成）に排出され、流速調節空間１６７が冷気案内板１５１により開放されると、一部の冷気が流速調節空間１６７に排出されて流速が遅くなるため、冷気が被収容物及び延長ダクトの前方（エアカーテンの形成）に弱い圧力で排出されるように冷気の圧力を調節する。
【００２４】
上述した各構成要素間の作用効果について説明する。
本発明の実施形態による冷凍庫１００は、本体１１０の一方の面に扉１１１が取設され、他方の面の下部には機械室１１４が配設される。また、本体１１０の下面には底面から本体１１０が離れるように複数の受け台１１５が取設され、本体１１０の底面には水槽嵌合部１１６が配備される。次いで、本体１１０の内部の周縁には外部に冷気が排出されないように断熱材１１２付き冷却室１１７が設けられ、断熱材１１２の一部に形成された溝にランプ１１３が係合される。
【００２５】
このとき、冷却室１１７には、被収容物２００が載置されるように複数の棚１１９が多段に設けられる。
また、冷却室１１７の上側に冷却ダクト１２５が設けられ、冷却ダクト１２５の扉が配設された前方には空気循環ファン１４０が配設され、冷却ダクト１２５の内部には蒸発器１２０が設けられる。
さらに、蒸発器１２０が配設された冷却ダクト１２５の部分には除霜を行うヒーター１３１が設けられ、ヒーター１３１により発生された除霜水は排出水ライン１３３を介して水槽１３５に排出され、除霜水を保管して蒸発させる水槽１３５は本体１１０の下端にある水槽嵌合部１１６に水槽固定部１３６が嵌め込まれて設けられる。
冷却ダクト１２５と連結された冷気供給ダクト１５０には、空気を冷却室１１７に排出する複数の延長ダクト１６０が設けられ、複数の延長ダクト１６０の上側に配設された延長ダクト１６０の下部には、温度を測定する温度センサー１５７が設けられる。
また、冷気供給ダクト１５０の内部には、空気循環ファン１４０により回転する空気を反対方向に回転させる冷気流れ調整板１５５と、延長ダクト１６０に排出される空気の量を調節する冷気案内板１５１と、が設けられる。
【００２６】
このような構成を有する本発明の実施形態による冷凍庫１００に電源を入れると、冷却室１１７にある空気が空気循環ファン１４０により冷却ダクト１２５を経て蒸発器１２０に流入し、蒸発器１２０は、流入した空気を冷却させて冷気供給ダクト１５０に排出する。冷気供給ダクト１５０に排出された冷気は冷気流れ調整板１５５により反対方向に分散されて延長ダクト１６０に流入する。
このとき、冷気案内板１５１により空気の量が調節される。
【００２７】
延長ダクト１６０に流入した冷気は、冷却室１１７に排出される過程において、棚に載置された被収容物２００の上部から排出されて被収容物２００を冷却させるとともに、延長ダクト１６０の前方にも排出されてエアカーテンを形成する。
また、延長ダクト１６０を介して排出された空気は、空気循環ファン１４０により再び吸入されて冷却ダクト１２５に移動して循環する。
さらにまた、エアカーテンの圧力を調節したり、被収容物２００に供給される圧力を全体的に調節したりするためには、流速調節空間１６７を開閉する冷気案内板１５１の開度を調節する。
【００２８】
このため、本発明の実施形態による冷凍庫は、棚用ダクトの正面及び底面に形成された冷気排出孔により冷気が安定的に循環されて冷凍庫内の温度を均一にし、冷気が被収容物に伝わる時間を短縮させて被収容物を過冷却させる効率を向上させる。
また、延長ダクトの前方にエアカーテンが形成されて扉に冷気が接触されることを低減させて露が結ばれることを低減させ、扉の開閉時に冷気が外部に流出されることを極力抑えてエネルギーの効率を高める。
さらに、従来のように棚の背面から冷気が排出される場合には、棚に収納された被収容物により冷気の排出が円滑に行われないため、冷気が排出される棚の背面に配設される被収容物及び棚の前面に配設される被収容物の間に過冷却差が生じるが、本発明の実施形態による冷却庫は、被収容物の上部から冷気を提供するので、被収容物の位置による過冷却差が防がれる。
さらにまた、流速調節空間１６７が形成されてこの流速調節空間１６７に排出される冷気の量を調節して、被収容物に供給される冷気の圧力及びエアカーテンを形成する圧力を全体的に調節する。
【００２９】
以上、本発明の実施形態について説明したが、本発明の権利範囲はこれに何ら限定されるものではなく、本発明の実施形態から本発明が属する技術分野において通常の知識を有する者により容易に変更されて均等なものであると認められる範囲のあらゆる変更及び修正を含む。
【産業上の利用可能性】
【００３０】
上述の通り本発明は産業上利用可能である。
【符号の説明】
【００３１】
１００：本体
１１１：扉
１１２：断熱材
１１３：ランプ
１１４：機械室
１１５：受け台
１１６：水槽嵌合部
１１７：冷却室
１１９：棚
１２０：蒸発器
１２５：冷却ダクト
１３１：ヒーター
１３３：排出水ライン
１３５：水槽
１３７：蒸気排出孔
１３６：水槽固定部
１３９：除霜水蒸発器
１４０：空気循環ファン
１５０：冷気供給ダクト
１５１：冷気案内板
１５５：冷気流れ調整板
１５７：温度センサー
１６０：延長ダクト
１６５：冷気排出孔
１６７：流速調節空間
２００：被収容物
【図１】
2016533470.tif 000003
【図２】
2016533470.tif 000004
【図３】
2016533470.tif 000005
【図４】
2016533470.tif 000006
【図５】
2016533470.tif 000007
【国際調査報告】
2016533470.tif 000008
2016533470.tif 000009
2016533470.tif 000010
2016533470.tif 000011